(57)【要約】【課題】本発明は拡大縮小できるスマホケースを開示した。【解決手段】装置の幅と厚さを調節できるスマホ外調節機構と装置の長さを調節できるスマホ内調節機構とを含み、前記スマホ外調節機構は底溝と、Ｔ型ブロックと、頂溝と移動ブロックとを含み、前記底溝が前記Ｔ型ブロックの中で運動することと前記移動ブロックが前記頂溝の中で運動することにより装置が収縮することができ、この装置は構成が簡単で、操作が便利で、異なるサイズの携帯によく対応するために自身を拡大縮小でき、対応力が高く、スマホケースの複数回の設計と生産を減少し、コストを節約する。【選択図】図１
2020179936.tif 000002
【特許請求の範囲】
【請求項１】
正面視で、装置の幅と厚さを調節できるスマホ外調節機構と装置の長さを調節できるスマホ内調節機構とを含み、前記スマホ外調節機構は底溝と、Ｔ型ブロックと、頂溝と移動ブロックとを含み、前記底溝が前記Ｔ型ブロックの中で運動することと前記移動ブロックが前記頂溝の中で運動することにより装置が収縮することができ、前記スマホ内調節機構の中には装置の収縮を阻むことができる五つの折り畳み板と従動板がそれぞれ設置され、任意の二つの前記折り畳み板の間または任意の二つの前記従動板の間がいずれも円柱ロッドと中空ブロックとにより回転できるように連結され、対応する前記折り畳み板と前記従動板との間には弾力が存在しており、前記スマホ内調節機構はまた二つの底板と、回しロッドと、圧力ブロックと、五つの制限ブロックとを含み、二つの前記底板が互いに近づくことと離れることが装置の長さを制御でき、前記回しロッドを推し動かして前記圧力ブロックを連動させて下へ運動させることができ、前記圧力ブロックが前記制限ブロックに阻まれることにより前記折り畳み板と前記従動板との間の弾力作用が制限されることができ、前記スマホ外調節機構はまた運動ブロックと運動溝とを含み、前記運動溝と前記運動ブロックとの間には摩擦力が存在しており、また前記運動ブロックが前記運動溝の中で運動することにより装置の厚さが変えられることができ、前記運動溝の中に位置する前記運動ブロックが前記折り畳み板の回転を阻むことができ、前記スマホ外調節機構はまた横向きブロックと横向き溝とを含み、前記横向きブロックが前記横向き溝の中で運動することにより装置の幅が変えられることができることを特徴とする拡大縮小できるスマホケース。
【請求項２】
前記スマホ外調節機構は二つの前記底板を含み、左側の前記底板の前端面にはＬ型ブロックが固定され、前記Ｌ型ブロックの中には左右端壁が外部空間に連通している底溝が設置され、前記底板の上側には中間板が設置され、前記中間板の前端面には中間ブロックが固定され、前記中間ブロックの中には左右端壁が外部空間に連通している頂溝が設置され、前記中間ブロックの左端面には前記底溝を貫通しており、且つ前記底溝とスライドできるように連結されているＴ型ブロックが固定され、前記中間板の上側には頂板が設置され、前記頂板の前端面には定位ロッドが固定され、前記定位ロッドの左端面には前記頂溝を貫通しており、且つ前記頂溝とスライドできるように連結されている移動ブロックが固定され、前記Ｌ型ブロックの中には円柱溝が設置され、前記円柱溝の中には弧状ブロックがスライドできるように設置され、
前記弧状ブロックの上端面には前端が外部空間に位置しているガイドロッドが固定され、前記ガイドロッドの上端には支持ロッドが固定され、前記支持ロッドの右端面には細ロッドが固定され、前記定位ロッドの中には運動溝が設置され、前記運動溝の中には運動ブロックがスライドできるように設置され、前記運動ブロックの上端面には上端が外部空間に位置している短ロッドが固定され、前記短ロッドの上端には頂ロッドが固定され、前記頂ロッドの中には方形溝が設置され、前記細ロッドの上端が前記方形溝の中に位置し、また前記細ロッドの上端には前記方形溝とスライドできるように連結されている方形ブロックが固定され、右側の前記頂板の中には前記横向き溝が設置され、左側の前記頂板の右端面には右端が前記横向き溝の中に位置している横向きロッドが固定され、前記横向きロッドの右端が前記横向き溝とスライドできるように連結されている前記横向きブロックが固定され、
右側の前記底板の中には水平移動溝が設置され、前記水平移動溝の上端壁には制限溝が設置され、左側の前記底板の中には右端が前記水平移動溝の中に位置している長ロッドが植設され、前記長ロッドの下端面には弾性溝が設置され、前記弾性溝が活動溝により外部空間と連通しており、前記弾性溝の左端壁には弾性ばねが固定され、前記弾性ばねの右端には前記弾性溝とスライドできるように連結されている弾性ブロックが固定され、前記弾性ブロックの下端面には前記活動溝を貫通している前記回しロッドが固定され、前記長ロッドの右端には開口ブロックが固定され、前記開口ブロックの上端面には開口溝が設置され、前記開口溝の下端壁には圧力ばねが固定され、前記圧力ばねの上端には上端が前記制限溝の中に位置している前記圧力ブロックが固定され、前記圧力ブロックと前記弾性ブロックとがロープにより固定的に連結され、前記制限溝の後端壁には五つの前記制限ブロックが均一的に固定され、なお、前記回しロッドを押し動かし、前記ロープにより前記圧力ブロックを引き動かして前記制限溝から離脱させることができることを特徴とする請求項１に記載の拡大縮小できるスマホケース。
【請求項３】
前記底板と前記頂板との間には五つの前記折り畳み板が均一的に分布しており、前記折り畳み板の右側には従動板が設置され、前記従動板の左端面には弾力溝が設置され、前記折り畳み板の右端が前記弾力溝の中に位置し、且つ前記弾力溝の右端壁と弾力ばねにより固定的に連結され、一番下側の前記折り畳み板と一番下側の前記従動板とがいずれも前記Ｌ型ブロックの上端面と固定的に連結され、隣り合う二つの前記折り畳み板または隣り合う二つの前記従動板の間にはいずれもヒンジ連結機構が設置され、一番下側の前記折り畳み板の上端面には前記中空ブロックが固定され、前記中空ブロックの中には左右端壁が外部空間に連通している弧状溝が設置され、前記弧状溝の中には前記弧状溝を貫通している円柱ロッドがスライドできるように設置され、前記円柱ロッドの左右端には上端が上側の前記折り畳み板の下端面と固定されている力受けブロックが対称的に固定され、なお、前記折り畳み板を反転させて前記従動板を連動させて一緒に運動させることができることを特徴とする請求項１に記載の拡大縮小できるスマホケース。
【発明の詳細な説明】
【技術分野】
【０００１】
本発明はスマートフォンアクセサリー分野を取り上げて、具体的には拡大縮小できるスマホケースである。
【背景技術】
【０００２】
スマホケースはスマートフォンを保護できるアクセサリーであり、しかし、今、一つのスマホケースは一つのタイプのスマートフォンにしか対応できなく、スマートフォンを変えると新しいスマホケースが必要となり、資源とコストを浪費する。
【先行技術文献】
【特許文献】
【０００３】
【特許文献１】中国特許出願公開第１０５５３０３４６号明細書
【発明の概要】
【発明が解決しようとする課題】
【０００４】
本発明は拡大縮小できるスマホケースを提供し、上記背景技術において提出された問題を解決することを目的とする。
【課題を解決するための手段】
【０００５】
上記の目的を実現するために、本発明は以下の技術プランを提供する：拡大縮小できるスマホケースは、装置の幅と厚さを調節できるスマホ外調節機構と装置の長さを調節できるスマホ内調節機構とを含み、前記スマホ外調節機構は底溝と、Ｔ型ブロックと、頂溝と移動ブロックとを含み、前記底溝が前記Ｔ型ブロックの中で運動することと前記移動ブロックが前記頂溝の中で運動することにより装置が収縮することができ、前記スマホ内調節機構の中には装置の収縮を阻むことができる五つの折り畳み板と従動板がそれぞれ設置され、任意の二つの前記折り畳み板の間または任意の二つの前記従動板の間がいずれも円柱ロッドと中空ブロックとにより回転できるように連結され、対応する前記折り畳み板と前記従動板との間には弾力が存在しており、前記スマホ内調節機構はまた二つの底板と、回しロッドと、圧力ブロックと、五つの制限ブロックとを含み、二つの前記底板が互いに近づくことと離れることが装置の長さを制御でき、前記回しロッドを推し動かして前記圧力ブロックを連動させて下へ運動させることができ、前記圧力ブロックが前記制限ブロックに阻まれることにより前記折り畳み板と前記従動板との間の弾力作用が制限されることができ、前記スマホ外調節機構はまた運動ブロックと運動溝とを含み、前記運動溝と前記運動ブロックとの間には摩擦力が存在しており、また前記運動ブロックが前記運動溝の中で運動することにより装置の厚さが変えられることができ、前記運動溝の中に位置する前記運動ブロックが前記折り畳み板の回転を阻むことができ、前記スマホ外調節機構はまた横向きブロックと横向き溝とを含み、前記横向きブロックが前記横向き溝の中で運動することにより装置の幅が変えられることができる。
【０００６】
好ましくは、前記スマホ外調節機構は二つの前記底板を含み、左側の前記底板の前端面にはＬ型ブロックが固定され、前記Ｌ型ブロックの中には左右端壁が外部空間に連通している底溝が設置され、前記底板の上側には中間板が設置され、前記中間板の前端面には中間ブロックが固定され、前記中間ブロックの中には左右端壁が外部空間に連通している頂溝が設置され、前記中間ブロックの左端面には前記底溝を貫通しており、且つ前記底溝とスライドできるように連結されているＴ型ブロックが固定され、前記中間板の上側には頂板が設置され、前記頂板の前端面には定位ロッドが固定され、前記定位ロッドの左端面には前記頂溝を貫通しており、且つ前記頂溝とスライドできるように連結されている移動ブロックが固定され、前記Ｌ型ブロックの中には円柱溝が設置され、前記円柱溝の中には弧状ブロックがスライドできるように設置される。
【０００７】
前記弧状ブロックの上端面には前端が外部空間に位置しているガイドロッドが固定され、前記ガイドロッドの上端には支持ロッドが固定され、前記支持ロッドの右端面には細ロッドが固定され、前記定位ロッドの中には運動溝が設置され、前記運動溝の中には運動ブロックがスライドできるように設置され、前記運動ブロックの上端面には上端が外部空間に位置している短ロッドが固定され、前記短ロッドの上端には頂ロッドが固定され、前記頂ロッドの中には方形溝が設置され、前記細ロッドの上端が前記方形溝の中に位置し、また前記細ロッドの上端には前記方形溝とスライドできるように連結されている方形ブロックが固定され、右側の前記頂板の中には前記横向き溝が設置され、左側の前記頂板の右端面には右端が前記横向き溝の中に位置している横向きロッドが固定され、前記横向きロッドの右端が前記横向き溝とスライドできるように連結されている前記横向きブロックが固定される。
【０００８】
右側の前記底板の中には水平移動溝が設置され、前記水平移動溝の上端壁には制限溝が設置され、左側の前記底板の中には右端が前記水平移動溝の中に位置している長ロッドが植設され、前記長ロッドの下端面には弾性溝が設置され、前記弾性溝が活動溝により外部空間と連通しており、前記弾性溝の左端壁には弾性ばねが固定され、前記弾性ばねの右端には前記弾性溝とスライドできるように連結されている弾性ブロックが固定され、前記弾性ブロックの下端面には前記活動溝を貫通している前記回しロッドが固定され、前記長ロッドの右端には開口ブロックが固定され、前記開口ブロックの上端面には開口溝が設置され、前記開口溝の下端壁には圧力ばねが固定され、前記圧力ばねの上端には上端が前記制限溝の中に位置している前記圧力ブロックが固定され、前記圧力ブロックと前記弾性ブロックとがロープにより固定的に連結され、前記制限溝の後端壁には五つの前記制限ブロックが均一的に固定され、なお、前記回しロッドを押し動かし、前記ロープにより前記圧力ブロックを引き動かして前記制限溝から離脱させることができる。
【０００９】
好ましくは、前記底板と前記頂板との間には五つの前記折り畳み板が均一的に分布しており、前記折り畳み板の右側には従動板が設置され、前記従動板の左端面には弾力溝が設置され、前記折り畳み板の右端が前記弾力溝の中に位置し、且つ前記弾力溝の右端壁と弾力ばねにより固定的に連結され、一番下側の前記折り畳み板と一番下側の前記従動板とがいずれも前記Ｌ型ブロックの上端面と固定的に連結され、隣り合う二つの前記折り畳み板または隣り合う二つの前記従動板の間にはいずれもヒンジ連結機構が設置され、一番下側の前記折り畳み板の上端面には前記中空ブロックが固定され、前記中空ブロックの中には左右端壁が外部空間に連通している弧状溝が設置され、前記弧状溝の中には前記弧状溝を貫通している円柱ロッドがスライドできるように設置され、前記円柱ロッドの左右端には上端が上側の前記折り畳み板の下端面と固定されている力受けブロックが対称的に固定され、なお、前記折り畳み板を反転させて前記従動板を連動させて一緒に運動させることができる。
【発明の効果】
【００１０】
以上により、本発明の有益効果は：この装置は構成が簡単で、操作が便利で、異なるサイズの携帯によく対応するために自身を拡大縮小でき、対応力が高く、スマホケースの複数回の設計と生産を減少し、コストを節約する。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の拡大縮小できるスマホケースの全体断面の正面構成模式図
【図２】図２は本発明の拡大縮小できるスマホケースの正面構成模式図
【図３】図３は本発明の拡大縮小できるスマホケースの中の底板の正面断面構成模式図
【図４】図４は本発明の拡大縮小できるスマホケースの中の頂板の正面断面構成模式図
【図５】図５は本発明の拡大縮小できるスマホケースの中の頂ロッドの右側面断面構成模式図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。  
【００１４】
図１〜５を参照し、本発明の実施例は：拡大縮小できるスマホケースは、装置の幅と厚さを調節できるスマホ外調節機構６０と装置の長さを調節できるスマホ内調節機構６１とを含み、前記スマホ外調節機構６０は底溝１６と、Ｔ型ブロック１７と、頂溝２０と移動ブロック２１とを含み、前記底溝１６が前記Ｔ型ブロック１７の中で運動することと前記移動ブロック２１が前記頂溝２０の中で運動することにより装置が収縮することができ、前記スマホ内調節機構６１の中には装置の収縮を阻むことができる五つの折り畳み板１５と従動板３０がそれぞれ設置され、任意の二つの前記折り畳み板１５の間または任意の二つの前記従動板３０の間がいずれも円柱ロッド１２と中空ブロック３７とにより回転できるように連結され、対応する前記折り畳み板１５と前記従動板３０との間には弾力が存在しており、前記スマホ内調節機構６１はまた二つの底板１３と、回しロッド３６と、圧力ブロック４９と、五つの制限ブロック４８とを含み、二つの前記底板１３が互いに近づくことと離れることが装置の長さを制御でき、前記回しロッド３６を推し動かして前記圧力ブロック４９を連動させて下へ運動させることができ、前記圧力ブロック４９が前記制限ブロック４８に阻まれることにより前記折り畳み板１５と前記従動板３０との間の弾力作用が制限されることができ、前記スマホ外調節機構６０はまた運動ブロック５６と運動溝２４とを含み、前記運動溝２４と前記運動ブロック５６との間には摩擦力が存在しており、また前記運動ブロック５６が前記運動溝２４の中で運動することにより装置の厚さが変えられることができ、前記運動溝２４の中に位置する前記運動ブロック５６が前記折り畳み板１５の回転を阻むことができ、前記スマホ外調節機構６０はまた横向きブロック５１と横向き溝５２とを含み、前記横向きブロック５１が前記横向き溝５２の中で運動することにより装置の幅が変えられることができる。
【００１５】
有益的には、前記スマホ外調節機構６０は二つの前記底板１３を含み、左側の前記底板１３の前端面にはＬ型ブロック１０が固定され、前記Ｌ型ブロック１０の中には左右端壁が外部空間に連通している底溝１６が設置され、前記底板１３の上側には中間板１９が設置され、前記中間板１９の前端面には中間ブロック１８が固定され、前記中間ブロック１８の中には左右端壁が外部空間に連通している頂溝２０が設置され、前記中間ブロック１８の左端面には前記底溝１６を貫通しており、且つ前記底溝１６とスライドできるように連結されているＴ型ブロック１７が固定され、前記中間板１９の上側には頂板２２が設置され、前記頂板２２の前端面には定位ロッド２３が固定され、前記定位ロッド２３の左端面には前記頂溝２０を貫通しており、且つ前記頂溝２０とスライドできるように連結されている移動ブロック２１が固定され、前記Ｌ型ブロック１０の中には円柱溝３９が設置され、前記円柱溝３９の中には弧状ブロック５３がスライドできるように設置される。
【００１６】
前記弧状ブロック５３の上端面には前端が外部空間に位置しているガイドロッド３８が固定され、前記ガイドロッド３８の上端には支持ロッド４０が固定され、前記支持ロッド４０の右端面には細ロッド４１が固定され、前記定位ロッド２３の中には運動溝２４が設置され、前記運動溝２４の中には運動ブロック５６がスライドできるように設置され、前記運動ブロック５６の上端面には上端が外部空間に位置している短ロッド２５が固定され、前記短ロッド２５の上端には頂ロッド４２が固定され、前記頂ロッド４２の中には方形溝５５が設置され、前記細ロッド４１の上端が前記方形溝５５の中に位置し、また前記細ロッド４１の上端には前記方形溝５５とスライドできるように連結されている方形ブロック５４が固定され、右側の前記頂板２２の中には前記横向き溝５２が設置され、左側の前記頂板２２の右端面には右端が前記横向き溝５２の中に位置している横向きロッド２７が固定され、前記横向きロッド２７の右端が前記横向き溝５２とスライドできるように連結されている前記横向きブロック５１が固定される。
【００１７】
右側の前記底板１３の中には水平移動溝４７が設置され、前記水平移動溝４７の上端壁には制限溝５０が設置され、左側の前記底板１３の中には右端が前記水平移動溝４７の中に位置している長ロッド３５が植設され、前記長ロッド３５の下端面には弾性溝４３が設置され、前記弾性溝４３が活動溝２９により外部空間と連通しており、前記弾性溝４３の左端壁には弾性ばね４４が固定され、前記弾性ばね４４の右端には前記弾性溝４３とスライドできるように連結されている弾性ブロック３１が固定され、前記弾性ブロック３１の下端面には前記活動溝２９を貫通している前記回しロッド３６が固定され、前記長ロッド３５の右端には開口ブロック４５が固定され、前記開口ブロック４５の上端面には開口溝３４が設置され、前記開口溝３４の下端壁には圧力ばね４６が固定され、前記圧力ばね４６の上端には上端が前記制限溝５０の中に位置している前記圧力ブロック４９が固定され、前記圧力ブロック４９と前記弾性ブロック３１とがロープ３３により固定的に連結され、前記制限溝５０の後端壁には五つの前記制限ブロック４８が均一的に固定され、なお、前記回しロッド３６を押し動かし、前記ロープ３３により前記圧力ブロック４９を引き動かして前記制限溝５０から離脱させることができる。
【００１８】
有益的には、前記底板１３と前記頂板２２との間には五つの前記折り畳み板１５が均一的に分布しており、前記折り畳み板１５の右側には従動板３０が設置され、前記従動板３０の左端面には弾力溝２６が設置され、前記折り畳み板１５の右端が前記弾力溝２６の中に位置し、且つ前記弾力溝２６の右端壁と弾力ばね２８により固定的に連結され、一番下側の前記折り畳み板１５と一番下側の前記従動板３０とがいずれも前記Ｌ型ブロック１０の上端面と固定的に連結され、隣り合う二つの前記折り畳み板１５または隣り合う二つの前記従動板３０の間にはいずれもヒンジ連結機構６２が設置され、一番下側の前記折り畳み板１５の上端面には前記中空ブロック３７が固定され、前記中空ブロック３７の中には左右端壁が外部空間に連通している弧状溝１１が設置され、前記弧状溝１１の中には前記弧状溝１１を貫通している円柱ロッド１２がスライドできるように設置され、前記円柱ロッド１２の左右端には上端が上側の前記折り畳み板１５の下端面と固定されている力受けブロック１４が対称的に固定され、なお、前記折り畳み板１５を反転させて前記従動板３０を連動させて一緒に運動させることができる。
【００１９】
以下、出願人は付図１〜５及び上記の本出願の拡大縮小できるスマホケースの具体的な構成を参照して本出願の拡大縮小できるスマホケースの使用方法を詳しく紹介する：
【００２０】
装置を水平に置き、携帯の正面を上に向かせて装置の中に水平に置き、同時に折り畳み板１５と従動板３０を携帯の頂部位置まで反転させ、頂板２２を携帯の頂部位置まで推し動かし、この時、回しロッド３６を回し、ロープ３３により圧力ブロック４９を引き動かして下降させ、二つの底板１３を携帯の両側を挟むまで推し動かして互いに近づかせ、回しロッド３６を放し、これにより圧力ブロック４９が上昇して制限ブロック４８の間に位置して阻まれ、弾力ばね２８が圧縮され、その後、同時に頂ロッド４２と支持ロッド４０を押し動かし、携帯のふちを挟む。
【００２１】
本発明の有益効果は：この装置は構成が簡単で、操作が便利で、異なるサイズの携帯によく対応するために自身を拡大縮小でき、対応力が高く、スマホケースの複数回の設計と生産を減少し、コストを節約する。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020179936.tif 000003
【図２】
2020179936.tif 000004
【図３】
2020179936.tif 000005
【図４】
2020179936.tif 000006
【図５】
2020179936.tif 000007
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
正面視で、装置の幅と厚さを調節できるスマホ外調節機構と装置の長さを調節できるスマホ内調節機構とを含み、前記スマホ外調節機構は底溝と、Ｔ型ブロックと、頂溝と移動ブロックとを含み、前記Ｔ型ブロックが前記底溝の中で運動することと前記移動ブロックが前記頂溝の中で運動することにより装置が収縮することができ、前記スマホ内調節機構の中には装置の収縮を阻むことができる五つの折り畳み板と従動板がそれぞれ設置され、任意の二つの前記折り畳み板の間または任意の二つの前記従動板の間がいずれも円柱ロッドと中空ブロックとにより回転できるように連結され、対応する前記折り畳み板と前記従動板との間には弾力が存在しており、前記スマホ内調節機構はまた二つの底板と、回しロッドと、圧力ブロックと、五つの制限ブロックとを含み、二つの前記底板が互いに近づくことと離れることが装置の長さを制御でき、前記回しロッドを推し動かして前記圧力ブロックを連動させて下へ運動させることができ、前記圧力ブロックが前記制限ブロックに阻まれることにより前記折り畳み板と前記従動板との間の弾力作用が制限されることができ、前記スマホ外調節機構はまた運動ブロックと運動溝とを含み、前記運動溝と前記運動ブロックとの間には摩擦力が存在しており、また前記運動ブロックが前記運動溝の中で運動することにより装置の厚さが変えられることができ、前記運動溝の中に位置する前記運動ブロックが前記折り畳み板の回転を阻むことができ、前記スマホ外調節機構はまた横向きブロックと横向き溝とを含み、前記横向きブロックが前記横向き溝の中で運動することにより装置の幅が変えられることができることを特徴とする拡大縮小できるスマホケース。
【請求項２】
前記スマホ外調節機構は二つの前記底板を含み、左側の前記底板の前端面にはＬ型ブロックが固定され、前記Ｌ型ブロックの中には左右端壁が外部空間に連通している底溝が設置され、前記底板の上側には中間板が設置され、前記中間板の前端面には中間ブロックが固定され、前記中間ブロックの中には左右端壁が外部空間に連通している頂溝が設置され、前記中間ブロックの左端面には前記底溝を貫通しており、且つ前記底溝とスライドできるように連結されているＴ型ブロックが固定され、前記中間板の上側には頂板が設置され、前記頂板の前端面には定位ロッドが固定され、前記定位ロッドの左端面には前記頂溝を貫通しており、且つ前記頂溝とスライドできるように連結されている移動ブロックが固定され、前記Ｌ型ブロックの中には円柱溝が設置され、前記円柱溝の中には弧状ブロックがスライドできるように設置され、
前記弧状ブロックの上端面には前端が外部空間に位置しているガイドロッドが固定され、前記ガイドロッドの上端には支持ロッドが固定され、前記支持ロッドの右端面には細ロッドが固定され、前記定位ロッドの中には運動溝が設置され、前記運動溝の中には運動ブロックがスライドできるように設置され、前記運動ブロックの上端面には上端が外部空間に位置している短ロッドが固定され、前記短ロッドの上端には頂ロッドが固定され、前記頂ロッドの中には方形溝が設置され、前記細ロッドの上端が前記方形溝の中に位置し、また前記細ロッドの上端には前記方形溝とスライドできるように連結されている方形ブロックが固定され、右側の前記頂板の中には前記横向き溝が設置され、左側の前記頂板の右端面には右端が前記横向き溝の中に位置している横向きロッドが固定され、前記横向きロッドの右端が前記横向き溝とスライドできるように連結されている前記横向きブロックが固定され、
右側の前記底板の中には水平移動溝が設置され、前記水平移動溝の上端壁には制限溝が設置され、左側の前記底板の中には右端が前記水平移動溝の中に位置している長ロッドが植設され、前記長ロッドの下端面には弾性溝が設置され、前記弾性溝が活動溝により外部空間と連通しており、前記弾性溝の左端壁には弾性ばねが固定され、前記弾性ばねの右端には前記弾性溝とスライドできるように連結されている弾性ブロックが固定され、前記弾性ブロックの下端面には前記活動溝を貫通している前記回しロッドが固定され、前記長ロッドの右端には開口ブロックが固定され、前記開口ブロックの上端面には開口溝が設置され、前記開口溝の下端壁には圧力ばねが固定され、前記圧力ばねの上端には上端が前記制限溝の中に位置している前記圧力ブロックが固定され、前記圧力ブロックと前記弾性ブロックとがロープにより固定的に連結され、前記制限溝の後端壁には五つの前記制限ブロックが均一的に固定され、なお、前記回しロッドを押し動かし、前記ロープにより前記圧力ブロックを引き動かして前記制限溝から離脱させることができることを特徴とする請求項１に記載の拡大縮小できるスマホケース。
【請求項３】
前記底板と前記頂板との間には五つの前記折り畳み板が均一的に分布しており、前記折り畳み板の右側には従動板が設置され、前記従動板の左端面には弾力溝が設置され、前記折り畳み板の右端が前記弾力溝の中に位置し、且つ前記弾力溝の右端壁と弾力ばねにより固定的に連結され、一番下側の前記折り畳み板と一番下側の前記従動板とがいずれも前記Ｌ型ブロックの上端面と固定的に連結され、隣り合う二つの前記折り畳み板または隣り合う二つの前記従動板の間にはいずれもヒンジ連結機構が設置され、一番下側の前記折り畳み板の上端面には前記中空ブロックが固定され、前記中空ブロックの中には左右端壁が外部空間に連通している弧状溝が設置され、前記弧状溝の中には前記弧状溝を貫通している円柱ロッドがスライドできるように設置され、前記円柱ロッドの左右端には上端が上側の前記折り畳み板の下端面と固定されている力受けブロックが対称的に固定され、なお、前記折り畳み板を反転させて前記従動板を連動させて一緒に運動させることができることを特徴とする請求項１に記載の拡大縮小できるスマホケース。
【手続補正２】
【補正対象書類名】明細書
【補正対象項目名】全文
【補正方法】変更
【補正の内容】
【発明の詳細な説明】
【技術分野】
【０００１】
本発明はスマートフォンアクセサリー分野を取り上げて、具体的には拡大縮小できるスマホケースである。
【背景技術】
【０００２】
スマホケースはスマートフォンを保護できるアクセサリーであり、しかし、今、一つのスマホケースは一つのタイプのスマートフォンにしか対応できなく、スマートフォンを変えると新しいスマホケースが必要となり、資源とコストを浪費する。
【先行技術文献】
【特許文献】
【０００３】
【特許文献１】中国特許出願公開第１０５５３０３４６号明細書
【発明の概要】
【発明が解決しようとする課題】
【０００４】
本発明は拡大縮小できるスマホケースを提供し、上記背景技術において提出された問題を解決することを目的とする。
【課題を解決するための手段】
【０００５】
上記の目的を実現するために、本発明は以下の技術プランを提供する：拡大縮小できるスマホケースは、装置の幅と厚さを調節できるスマホ外調節機構と装置の長さを調節できるスマホ内調節機構とを含み、前記スマホ外調節機構は底溝と、Ｔ型ブロックと、頂溝と移動ブロックとを含み、前記Ｔ型ブロックが前記底溝の中で運動することと前記移動ブロックが前記頂溝の中で運動することにより装置が収縮することができ、前記スマホ内調節機構の中には装置の収縮を阻むことができる五つの折り畳み板と従動板がそれぞれ設置され、任意の二つの前記折り畳み板の間または任意の二つの前記従動板の間がいずれも円柱ロッドと中空ブロックとにより回転できるように連結され、対応する前記折り畳み板と前記従動板との間には弾力が存在しており、前記スマホ内調節機構はまた二つの底板と、回しロッドと、圧力ブロックと、五つの制限ブロックとを含み、二つの前記底板が互いに近づくことと離れることが装置の長さを制御でき、前記回しロッドを推し動かして前記圧力ブロックを連動させて下へ運動させることができ、前記圧力ブロックが前記制限ブロックに阻まれることにより前記折り畳み板と前記従動板との間の弾力作用が制限されることができ、前記スマホ外調節機構はまた運動ブロックと運動溝とを含み、前記運動溝と前記運動ブロックとの間には摩擦力が存在しており、また前記運動ブロックが前記運動溝の中で運動することにより装置の厚さが変えられることができ、前記運動溝の中に位置する前記運動ブロックが前記折り畳み板の回転を阻むことができ、前記スマホ外調節機構はまた横向きブロックと横向き溝とを含み、前記横向きブロックが前記横向き溝の中で運動することにより装置の幅が変えられることができる。
【０００６】
好ましくは、前記スマホ外調節機構は二つの前記底板を含み、左側の前記底板の前端面にはＬ型ブロックが固定され、前記Ｌ型ブロックの中には左右端壁が外部空間に連通している底溝が設置され、前記底板の上側には中間板が設置され、前記中間板の前端面には中間ブロックが固定され、前記中間ブロックの中には左右端壁が外部空間に連通している頂溝が設置され、前記中間ブロックの左端面には前記底溝を貫通しており、且つ前記底溝とスライドできるように連結されているＴ型ブロックが固定され、前記中間板の上側には頂板が設置され、前記頂板の前端面には定位ロッドが固定され、前記定位ロッドの左端面には前記頂溝を貫通しており、且つ前記頂溝とスライドできるように連結されている移動ブロックが固定され、前記Ｌ型ブロックの中には円柱溝が設置され、前記円柱溝の中には弧状ブロックがスライドできるように設置される。
【０００７】
前記弧状ブロックの上端面には前端が外部空間に位置しているガイドロッドが固定され、前記ガイドロッドの上端には支持ロッドが固定され、前記支持ロッドの右端面には細ロッドが固定され、前記定位ロッドの中には運動溝が設置され、前記運動溝の中には運動ブロックがスライドできるように設置され、前記運動ブロックの上端面には上端が外部空間に位置している短ロッドが固定され、前記短ロッドの上端には頂ロッドが固定され、前記頂ロッドの中には方形溝が設置され、前記細ロッドの上端が前記方形溝の中に位置し、また前記細ロッドの上端には前記方形溝とスライドできるように連結されている方形ブロックが固定され、右側の前記頂板の中には前記横向き溝が設置され、左側の前記頂板の右端面には右端が前記横向き溝の中に位置している横向きロッドが固定され、前記横向きロッドの右端が前記横向き溝とスライドできるように連結されている前記横向きブロックが固定される。
【０００８】
右側の前記底板の中には水平移動溝が設置され、前記水平移動溝の上端壁には制限溝が設置され、左側の前記底板の中には右端が前記水平移動溝の中に位置している長ロッドが植設され、前記長ロッドの下端面には弾性溝が設置され、前記弾性溝が活動溝により外部空間と連通しており、前記弾性溝の左端壁には弾性ばねが固定され、前記弾性ばねの右端には前記弾性溝とスライドできるように連結されている弾性ブロックが固定され、前記弾性ブロックの下端面には前記活動溝を貫通している前記回しロッドが固定され、前記長ロッドの右端には開口ブロックが固定され、前記開口ブロックの上端面には開口溝が設置され、前記開口溝の下端壁には圧力ばねが固定され、前記圧力ばねの上端には上端が前記制限溝の中に位置している前記圧力ブロックが固定され、前記圧力ブロックと前記弾性ブロックとがロープにより固定的に連結され、前記制限溝の後端壁には五つの前記制限ブロックが均一的に固定され、なお、前記回しロッドを押し動かし、前記ロープにより前記圧力ブロックを引き動かして前記制限溝から離脱させることができる。
【０００９】
好ましくは、前記底板と前記頂板との間には五つの前記折り畳み板が均一的に分布しており、前記折り畳み板の右側には従動板が設置され、前記従動板の左端面には弾力溝が設置され、前記折り畳み板の右端が前記弾力溝の中に位置し、且つ前記弾力溝の右端壁と弾力ばねにより固定的に連結され、一番下側の前記折り畳み板と一番下側の前記従動板とがいずれも前記Ｌ型ブロックの上端面と固定的に連結され、隣り合う二つの前記折り畳み板または隣り合う二つの前記従動板の間にはいずれもヒンジ連結機構が設置され、一番下側の前記折り畳み板の上端面には前記中空ブロックが固定され、前記中空ブロックの中には左右端壁が外部空間に連通している弧状溝が設置され、前記弧状溝の中には前記弧状溝を貫通している円柱ロッドがスライドできるように設置され、前記円柱ロッドの左右端には上端が上側の前記折り畳み板の下端面と固定されている力受けブロックが対称的に固定され、なお、前記折り畳み板を反転させて前記従動板を連動させて一緒に運動させることができる。
【発明の効果】
【００１０】
以上により、本発明の有益効果は：この装置は構成が簡単で、操作が便利で、異なるサイズの携帯によく対応するために自身を拡大縮小でき、対応力が高く、スマホケースの複数回の設計と生産を減少し、コストを節約する。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の拡大縮小できるスマホケースの全体断面の正面構成模式図
【図２】図２は本発明の拡大縮小できるスマホケースの正面構成模式図
【図３】図３は本発明の拡大縮小できるスマホケースの中の底板の正面断面構成模式図
【図４】図４は本発明の拡大縮小できるスマホケースの中の頂板の正面断面構成模式図
【図５】図５は本発明の拡大縮小できるスマホケースの中の頂ロッドの右側面断面構成模式図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。  
【００１４】
図１〜５を参照し、本発明の実施例は：拡大縮小できるスマホケースは、装置の幅と厚さを調節できるスマホ外調節機構６０と装置の長さを調節できるスマホ内調節機構６１とを含み、前記スマホ外調節機構６０は底溝１６と、Ｔ型ブロック１７と、頂溝２０と移動ブロック２１とを含み、前記T型ブロック１７が前記底溝１６の中で運動することと前記移動ブロック２１が前記頂溝２０の中で運動することにより装置が収縮することができ、前記スマホ内調節機構６１の中には装置の収縮を阻むことができる五つの折り畳み板１５と従動板３０がそれぞれ設置され、任意の二つの前記折り畳み板１５の間または任意の二つの前記従動板３０の間がいずれも円柱ロッド１２と中空ブロック３７とにより回転できるように連結され、対応する前記折り畳み板１５と前記従動板３０との間には弾力が存在しており、前記スマホ内調節機構６１はまた二つの底板１３と、回しロッド３６と、圧力ブロック４９と、五つの制限ブロック４８とを含み、二つの前記底板１３が互いに近づくことと離れることが装置の長さを制御でき、前記回しロッド３６を推し動かして前記圧力ブロック４９を連動させて下へ運動させることができ、前記圧力ブロック４９が前記制限ブロック４８に阻まれることにより前記折り畳み板１５と前記従動板３０との間の弾力作用が制限されることができ、前記スマホ外調節機構６０はまた運動ブロック５６と運動溝２４とを含み、前記運動溝２４と前記運動ブロック５６との間には摩擦力が存在しており、また前記運動ブロック５６が前記運動溝２４の中で運動することにより装置の厚さが変えられることができ、前記運動溝２４の中に位置する前記運動ブロック５６が前記折り畳み板１５の回転を阻むことができ、前記スマホ外調節機構６０はまた横向きブロック５１と横向き溝５２とを含み、前記横向きブロック５１が前記横向き溝５２の中で運動することにより装置の幅が変えられることができる。
【００１５】
有益的には、前記スマホ外調節機構６０は二つの前記底板１３を含み、左側の前記底板１３の前端面にはＬ型ブロック１０が固定され、前記Ｌ型ブロック１０の中には左右端壁が外部空間に連通している底溝１６が設置され、前記底板１３の上側には中間板１９が設置され、前記中間板１９の前端面には中間ブロック１８が固定され、前記中間ブロック１８の中には左右端壁が外部空間に連通している頂溝２０が設置され、前記中間ブロック１８の左端面には前記底溝１６を貫通しており、且つ前記底溝１６とスライドできるように連結されているＴ型ブロック１７が固定され、前記中間板１９の上側には頂板２２が設置され、前記頂板２２の前端面には定位ロッド２３が固定され、前記定位ロッド２３の左端面には前記頂溝２０を貫通しており、且つ前記頂溝２０とスライドできるように連結されている移動ブロック２１が固定され、前記Ｌ型ブロック１０の中には円柱溝３９が設置され、前記円柱溝３９の中には弧状ブロック５３がスライドできるように設置される。
【００１６】
前記弧状ブロック５３の上端面には前端が外部空間に位置しているガイドロッド３８が固定され、前記ガイドロッド３８の上端には支持ロッド４０が固定され、前記支持ロッド４０の右端面には細ロッド４１が固定され、前記定位ロッド２３の中には運動溝２４が設置され、前記運動溝２４の中には運動ブロック５６がスライドできるように設置され、前記運動ブロック５６の上端面には上端が外部空間に位置している短ロッド２５が固定され、前記短ロッド２５の上端には頂ロッド４２が固定され、前記頂ロッド４２の中には方形溝５５が設置され、前記細ロッド４１の上端が前記方形溝５５の中に位置し、また前記細ロッド４１の上端には前記方形溝５５とスライドできるように連結されている方形ブロック５４が固定され、右側の前記頂板２２の中には前記横向き溝５２が設置され、左側の前記頂板２２の右端面には右端が前記横向き溝５２の中に位置している横向きロッド２７が固定され、前記横向きロッド２７の右端が前記横向き溝５２とスライドできるように連結されている前記横向きブロック５１が固定される。
【００１７】
右側の前記底板１３の中には水平移動溝４７が設置され、前記水平移動溝４７の上端壁には制限溝５０が設置され、左側の前記底板１３の中には右端が前記水平移動溝４７の中に位置している長ロッド３５が植設され、前記長ロッド３５の下端面には弾性溝４３が設置され、前記弾性溝４３が活動溝２９により外部空間と連通しており、前記弾性溝４３の左端壁には弾性ばね４４が固定され、前記弾性ばね４４の右端には前記弾性溝４３とスライドできるように連結されている弾性ブロック３１が固定され、前記弾性ブロック３１の下端面には前記活動溝２９を貫通している前記回しロッド３６が固定され、前記長ロッド３５の右端には開口ブロック４５が固定され、前記開口ブロック４５の上端面には開口溝３４が設置され、前記開口溝３４の下端壁には圧力ばね４６が固定され、前記圧力ばね４６の上端には上端が前記制限溝５０の中に位置している前記圧力ブロック４９が固定され、前記圧力ブロック４９と前記弾性ブロック３１とがロープ３３により固定的に連結され、前記制限溝５０の後端壁には五つの前記制限ブロック４８が均一的に固定され、なお、前記回しロッド３６を押し動かし、前記ロープ３３により前記圧力ブロック４９を引き動かして前記制限溝５０から離脱させることができる。
【００１８】
有益的には、前記底板１３と前記頂板２２との間には五つの前記折り畳み板１５が均一的に分布しており、前記折り畳み板１５の右側には従動板３０が設置され、前記従動板３０の左端面には弾力溝２６が設置され、前記折り畳み板１５の右端が前記弾力溝２６の中に位置し、且つ前記弾力溝２６の右端壁と弾力ばね２８により固定的に連結され、一番下側の前記折り畳み板１５と一番下側の前記従動板３０とがいずれも前記Ｌ型ブロック１０の上端面と固定的に連結され、隣り合う二つの前記折り畳み板１５または隣り合う二つの前記従動板３０の間にはいずれもヒンジ連結機構６２が設置され、一番下側の前記折り畳み板１５の上端面には前記中空ブロック３７が固定され、前記中空ブロック３７の中には左右端壁が外部空間に連通している弧状溝１１が設置され、前記弧状溝１１の中には前記弧状溝１１を貫通している円柱ロッド１２がスライドできるように設置され、前記円柱ロッド１２の左右端には上端が上側の前記折り畳み板１５の下端面と固定されている力受けブロック１４が対称的に固定され、なお、前記折り畳み板１５を反転させて前記従動板３０を連動させて一緒に運動させることができる。
【００１９】
以下、出願人は付図１〜５及び上記の本出願の拡大縮小できるスマホケースの具体的な構成を参照して本出願の拡大縮小できるスマホケースの使用方法を詳しく紹介する：
【００２０】
装置を水平に置き、携帯の正面を上に向かせて装置の中に水平に置き、同時に折り畳み板１５と従動板３０を携帯の頂部位置まで反転させ、頂板２２を携帯の頂部位置まで推し動かし、この時、回しロッド３６を回し、ロープ３３により圧力ブロック４９を引き動かして下降させ、二つの底板１３を携帯の両側を挟むまで推し動かして互いに近づかせ、回しロッド３６を放し、これにより圧力ブロック４９が上昇して制限ブロック４８の間に位置して阻まれ、弾力ばね２８が圧縮され、その後、同時に頂ロッド４２と支持ロッド４０を押し動かし、携帯のふちを挟む。
【００２１】
本発明の有益効果は：この装置は構成が簡単で、操作が便利で、異なるサイズの携帯によく対応するために自身を拡大縮小でき、対応力が高く、スマホケースの複数回の設計と生産を減少し、コストを節約する。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。